(57)【要約】【課題】  ハーフＳＣ構造において、無支保工で座屈補強が容易な梁構造を提供する。【解決手段】  両側面を形成して対向するウェブプレート２、２と、底面を形成するフランジプレート３を備え、対向するウェブプレート２、２とフランジプレート３によって囲まれる領域Ｒ内にコンクリート７が充填されてなる梁１である。ウェブプレート２およびフランジプレート３は鋼板からなり、ウェブプレート２の内面には材軸方向に所定の離間間隔をおいて平鋼からなる縦リブ４…が鉛直方向に配設され、フランジプレート３の内面には材軸方向に所定の離間間隔をおいて断面Ｔ字状のＣＴ形鋼からなる底面補強リブ５…が水平方向に配設されている。対向するウェブプレート２、２間には縦リブ４、４同士を繋ぐＬ形鋼からなるタイバー６、６、６が上下３段にわたって架設されている。【選択図】      図２
2005344386.tif 000002
【特許請求の範囲】
【請求項１】
両側面を形成して対向するウェブプレートおよび底面を形成するフランジプレートの内面にそれぞれ複数のスタッドが植設され、前記対向するウェブプレートと前記フランジプレートによって画成される領域内にコンクリートが充填されてなる梁構造において、
前記対向するウェブプレートの内面には材軸方向に所定の離間間隔をおいて縦リブが鉛直方向にそれぞれ配設され、前記フランジプレートの内面には材軸方向に所定の離間間隔をおいて底面補強リブが水平方向に配設され、前記対向するウェブプレート間には前記縦リブ同士を繋ぐタイバーが架設されていることを特徴とする梁構造。
【発明の詳細な説明】
【技術分野】
【０００１】
本発明は、梁構造に関し、特に、ハーフＳＣ構造梁の構造に関する。
【背景技術】
【０００２】
鋼板枠内にコンクリートを打設して一体化させるハーフＳＣ（鋼板コンクリート）構造梁は、型枠が不要になる利点がある。しかし、ハーフＳＣ構造梁では、コンクリート打設荷重全てを鋼板で負担する必要があるため、鋼板の座屈に対する補強が不可欠である。
従来より、コンクリート打設荷重に対する鋼板の座屈防止方法としては、底面フランジプレートを支持する支保工を設置するか、ウェブプレートに対して、せん断座屈補強用に中間スチフナを配置し、曲げおよび圧縮座屈補強用に水平スチフナを配置して格子状にスチフナを構成することが行われる。また、ウェブプレート部分にＨ型鋼のような剛性の高い型鋼を採用してコンクリート打設荷重を負担する構造が発明されている（特許文献１参照。）
【特許文献１】特開２００２−４４７４号公報  （第２−３頁、第１図）
【発明の開示】
【発明が解決しようとする課題】
【０００３】
しかしながら、支保工を設置する際には梁下の空間を占拠し、他の作業の支障となる。また、Ｈ型鋼を採用するには鋼材量が膨大となりコスト増となる。加えて、ウェブプレートに格子状にスチフナを配置するには膨大な溶接作業が必要となるという問題がある。
本発明は、上述する問題点に鑑みてなされたもので、ハーフＳＣ構造において、無支保工で座屈補強が容易な梁構造を提供することを目的とする。
【課題を解決するための手段】
【０００４】
上記目的を達成するため、本発明に係る梁構造では、両側面を形成して対向するウェブプレートおよび底面を形成するフランジプレートの内面にそれぞれ複数のスタッドが植設され、前記対向するウェブプレートと前記フランジプレートによって画成される領域内にコンクリートが充填されてなる梁構造において、前記対向するウェブプレートの内面には材軸方向に所定の離間間隔をおいて縦リブが鉛直方向にそれぞれ配設され、前記フランジプレートの内面には材軸方向に所定の離間間隔をおいて底面補強リブが水平方向に配設され、前記対向するウェブプレート間には前記縦リブ同士を繋ぐタイバーが架設されていることを特徴とする。
ここで、ウェブプレートあるいはフランジプレートの内面とは、それらの鋼板がコンクリートと接する側の面をいう。また、材軸は梁の材軸を指す。
本発明では、縦リブ、底面補強リブ、およびタイバーは、コンクリート打設荷重による側圧および底圧に対して梁の断面形状を保持するように設計すればよく、ウェブプレートおよびフランジプレートの鋼板座屈に対して特に設計する必要はない。即ち、コンクリート打設荷重による側圧および底圧に対して設計された縦リブ、底面補強リブ、およびタイバーが、ウェブプレートおよびフランジプレートの座屈補強に有効に機能するものである。その結果、ウェブプレートに格子状にスチフナを配置する必要がなくなり、溶接作業を削減することができる。
【発明の効果】
【０００５】
本発明によれば、対向するウェブプレートの内面に縦リブを配設するとともに、フランジプレートの内面に底面補強リブを配設し、対向するウェブプレート間には縦リブ同士を繋ぐタイバーを架設することにより、ハーフＳＣ構造において、無支保工で座屈補強が容易な梁構造を実現することができる。
【発明を実施するための最良の形態】
【０００６】
以下、本発明に係る梁構造の実施形態について図面に基いて説明する。
図１は、本発明に係る梁構造の実施形態の一例を示す斜視図である。また、図２は、図１におけるＡ−Ａ矢視断面図である。
本実施形態による梁１は、両側面を形成して対向するウェブプレート２、２と、底面を形成するフランジプレート３を備え、ウェブプレート２およびフランジプレート３の内面には、コンクリート７との付着強度を増大させるために複数のボルト状のスタッド８…が領域Ｒ内に突出するように溶接され、対向するウェブプレート２、２とフランジプレート３によって囲まれる領域Ｒ内にコンクリート７が充填されてなるものである。また、梁１の上部には、材軸Ｇ方向に複数の梁主筋９…が並設して配されるとともに、複数の梁主筋９…に直交するようにコの字状のせん断補強筋１０…が配されている。
【０００７】
ウェブプレート２およびフランジプレート３は鋼板からなり、ウェブプレート２の内面には材軸Ｇ方向に所定の離間間隔をおいて平鋼からなる縦リブ４…が鉛直方向に配設され、フランジプレート３の内面には材軸Ｇ方向に所定の離間間隔をおいて断面Ｔ字状のＣＴ形鋼からなる底面補強リブ５…が水平方向に配設されている。
また、対向するウェブプレート２、２間には、縦リブ４、４同士を繋ぐＬ形鋼からなるタイバー６、６、６が上下３段にわたって架設されている。
【０００８】
本実施形態による梁構造では、縦リブ４、底面補強リブ５、およびタイバー６は、コンクリート７打設荷重による側圧および底圧に対して梁１の断面形状を保持するように設計すればよく、ウェブプレート２およびフランジプレート３の鋼板座屈に対して特に設計する必要はない。即ち、コンクリート７打設荷重による側圧および底圧に対して設計された縦リブ４、底面補強リブ５、およびタイバー６が、ウェブプレート２およびフランジプレート３の座屈補強に有効に機能するものである。その結果、ウェブプレート２に格子状にスチフナを配置する必要がなくなり、溶接作業を削減することができる。
【０００９】
なお、本梁構造には、上方に鋼板が存在しないので、コンクリート打設荷重による側圧に対応するために、最上段のタイバー６は、それより下段のタイバー６より強度を大とする寸法にすることが望ましい。
【００１０】
以上、本発明に係る梁構造の実施形態について説明したが、本発明は上記の実施形態に限定されるものではなく、その趣旨を逸脱しない範囲で適宜変更可能である。例えば、上記の実施形態では、縦リブに平鋼、底面補強リブにＣＴ形鋼を使用しているが、梁の応力状態に応じて他の形鋼でもよいことは言うまでもない。
【図面の簡単な説明】
【００１１】
【図１】本発明に係る梁構造の実施形態の一例を示す斜視図である。
【図２】図１におけるＡ−Ａ矢視断面図である。
【符号の説明】
【００１２】
１  梁
２  ウェブプレート
３  フランジプレート
４  縦リブ
５  底面補強リブ
６  タイバー
７  コンクリート
８  スタッド
９  梁主筋
１０  せん断補強筋
【図１】
2005344386.tif 000003
【図２】
2005344386.tif 000004